(57)【要約】【課題】サーボ制御の安定化を図る上で有利な光ピックアップおよび光ディスク装置を提供する。【解決手段】レンズホルダ４２の支持機構４３は、支持ブロック４４、支持板４６、複数のサスペンションワイヤ４８などを含む。支持板４６は支持ブロック４４で支持されている。支持板４６は、可撓性を有する板材５０と、板材５０に取着されたダンピング部材５２とを含んで構成されている。サスペンションワイヤ４８の先端は、レンズホルダ４２の幅方向両側に突設された取り付け部４２０２に取着され、サスペンションワイヤ４８の後端は、支持板４６の両側部４６Ｂに取着されている。支持板４６の両側部４６Ｂがサスペンションワイヤ４８の長手方向にたわんだ際に、ダンピング部材５２が変形することでレンズホルダ４２の振動が吸収される。【選択図】図２
2008310862.tif 000002
【特許請求の範囲】
【請求項１】
ベースと、
前記ベースの上に設けられ光源から出射された光ビームを集光して光ディスクに照射する対物レンズを保持するレンズホルダと、
前記レンズホルダからフォーカス方向に対して直交する方向に間隔をおいて前記ベース上に設けられフォーカス方向およびトラッキング方向を含む面に平行する支持板と、
前記レンズホルダと前記支持板とにわたって設けられ、前記支持板に対して前記レンズホルダをフォーカス方向とトラッキング方向とに移動可能に支持する複数のサスペンションワイヤとを備える光ピックアップであって、
前記支持板は可撓性を有し、
前記支持板にダンピング部材が設けられ、
前記支持板が前記サスペンションワイヤの長手方向にたわんだ際に、前記ダンピング部材が変形することで前記レンズホルダの振動が吸収されるように構成されている、
ことを特徴とする光ピックアップ。
【請求項２】
前記レンズホルダと前記支持板との間に、前記ベース上に取着された支持ブロックが設けられ、
前記支持板は前記支持ブロックで支持されている、
ことを特徴とする請求項１記載の光ピックアップ。
【請求項３】
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤ挿通孔に前記サスペンションワイヤが挿通されている、
ことを特徴とする請求項１記載の光ピックアップ。
【請求項４】
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤ挿通孔に前記サスペンションワイヤが挿通され、
前記サスペンションワイヤ挿通孔にゲルが充填され、
前記サスペンションワイヤがその長手方向と交差する方向にたわんだ際に、前記ゲルが変形することで前記サスペンションワイヤの長手方向と交差する方向に沿った前記レンズホルダの振動が吸収されるように構成されている、
ことを特徴とする請求項１記載の光ピックアップ。
【請求項５】
前記支持板は、フォーカス方向に対して直交する方向に間隔をおいて複数設けられ、
前記ダンピング部材は前記複数の支持板の間に挟持されている、
ことを特徴とする請求項４記載の光ピックアップ。
【請求項６】
前記レンズホルダをフォーカス方向およびトラッキング方向に移動させるアクチュエータが設けられ、
前記サスペンションワイヤは導電性を有し、
前記支持板はフォーカス方向に対して直交する方向に間隔をおいた２枚のプリント配線基板で構成され、
前記ダンピング部材は前記２枚のプリント配線基板で挟持され、
前記サスペンションワイヤの長さ方向の両端は前記プリント配線基板と前記アクチュエータに電気的に接続されている、
ことを特徴とする請求項１記載の光ピックアップ。
【請求項７】
前記レンズホルダは、前記サスペンションワイヤの長手方向に沿った長さと、前記長さと直交する方向の幅を有し、
前記サスペンションワイヤは、前記レンズホルダの幅方向の両側と前記支持板のトラッキング方向の両側との間にそれぞれ設けられている、
ことを特徴とする請求項１記載の光ピックアップ。
【請求項８】
前記対物レンズは、前記レンズホルダに複数設けられている、
ことを特徴とする請求項１記載の光ピックアップ。
【請求項９】
前記レンズホルダは、前記サスペンションワイヤの長手方向に沿った長さと、前記長さと直交する方向の幅を有し、
前記サスペンションワイヤは、前記レンズホルダの幅方向の両側と前記支持板のトラッキング方向の両側との間にそれぞれ設けられ、
前記対物レンズは、前記レンズホルダに、前記レンズホルダの長さ方向に間隔をおいて複数設けられている、
ことを特徴とする請求項１記載の光ピックアップ。
【請求項１０】
前記レンズホルダは、前記サスペンションワイヤの長手方向に沿った長さと、前記長さと直交する方向の幅を有し、
前記サスペンションワイヤは、前記レンズホルダの幅方向の両側と前記支持板のトラッキング方向の両側との間にそれぞれ設けられ、
前記対物レンズは、前記レンズホルダに、前記レンズホルダの幅方向に間隔をおいて複数設けられている、
ことを特徴とする請求項１記載の光ピックアップ。
【請求項１１】
前記レンズホルダは、前記サスペンションワイヤの長手方向に沿った長さと、前記長さと直交する方向の幅を有し、
前記サスペンションワイヤは、前記レンズホルダの幅方向の両側と前記支持板のトラッキング方向の両側との間にそれぞれ設けられ、
前記フォーカス方向に対して直交する方向に沿って前記支持板の両側に臨むように前記ベースから第１の支持ブロックと第２の支持ブロックとが立設され、
前記支持板のトラッキング方向の中央部が前記第１の支持ブロックと前記第２の支持ブロックとにより挟持され、
前記ダンピング部材は、前記支持板の前記中央部の両側において、前記支持板と前記第１の支持ブロックとの間および前記支持板と前記第２の支持ブロックとの間にそれぞれ設けられ前記支持板を挟持している、
ことを特徴とする請求項１記載の光ピックアップ。
【請求項１２】
前記第１の支持ブロックは前記レンズホルダと前記支持板との間に位置し、
前記第１の支持ブロックはサスペンションワイヤ挿通孔を有し、
前記サスペンションワイヤ挿通孔に前記サスペンションワイヤが挿通されている、
ことを特徴とする請求項１１記載の光ピックアップ。
【請求項１３】
前記第１の支持ブロックは前記レンズホルダと前記支持板との間に位置し、
前記第１の支持ブロックはサスペンションワイヤ挿通孔を有し、
前記サスペンションワイヤ挿通孔に前記サスペンションワイヤが挿通され、
前記サスペンションワイヤ挿通孔にゲルが充填され、
前記サスペンションワイヤがその長手方向と交差する方向にたわんだ際に、前記ゲルが変形することで前記レンズホルダの振動が吸収されるように構成されている、
ことを特徴とする請求項１１記載の光ピックアップ。
【請求項１４】
前記レンズホルダをフォーカス方向およびトラッキング方向に移動させるアクチュエータが設けられ、
前記サスペンションワイヤは導電性を有し、
前記支持板はプリント配線基板で構成され、
前記サスペンションワイヤの長さ方向の両端は前記プリント配線基板と前記アクチュエータに電気的に接続されている、
ことを特徴とする請求項１１記載の光ピックアップ。
【請求項１５】
前記対物レンズは、前記レンズホルダに複数設けられている、
ことを特徴とする請求項１１記載の光ピックアップ。
【請求項１６】
前記対物レンズは、前記レンズホルダに、前記レンズホルダの長さ方向に間隔をおいて複数設けられている、
ことを特徴とする請求項１１記載の光ピックアップ。
【請求項１７】
前記対物レンズは、前記レンズホルダに、前記レンズホルダの幅方向に間隔をおいて複数設けられている、
ことを特徴とする請求項１１記載の光ピックアップ。
【請求項１８】
ベースと、
前記ベースの上に設けられ光源から出射された光ビームを集光して光ディスクに照射する対物レンズを保持するレンズホルダと、
前記レンズホルダを支持する支持機構とを備え、
前記支持機構は、前記ベース上で前記レンズホルダをフォーカス方向とトラッキング方向とに移動可能に支持するサスペンションワイヤを含んで構成された光ピックアップであって、
前記レンズホルダに、フォーカス方向およびトラッキング方向を含む面に平行し可撓性を有しサスペンションワイヤの端部が結合される取り付け板が設けられ、
前記取り付け板にダンピング部材が設けられ、
前記取り付け板が前記サスペンションワイヤの長手方向にたわんだ際に、前記ダンピング部材が変形することで前記レンズホルダの振動が吸収されるように構成されている、
ことを特徴とする光ピックアップ。
【請求項１９】
前記取り付け板は、フォーカス方向に対して直交する方向に間隔をおいて２枚設けられ、
前記ダンピング部材は前記２枚の取り付け板の間に挟持されている、
ことを特徴とする請求項１８記載の光ピックアップ。
【請求項２０】
前記レンズホルダからフォーカス方向に対して直交する方向に間隔をおいた前記ベースの箇所にフォーカス方向およびトラッキング方向を含む面に平行し可撓性を有する支持板が設けられ、
前記サスペンションワイヤは、前記取り付け板と前記支持板とにわたって設けられている、
ことを特徴とする請求項１８記載の光ピックアップ。
【請求項２１】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられている、
ことを特徴とする請求項１８記載の光ピックアップ。
【請求項２２】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられ、
前記サスペンションワイヤ挿通孔にゲルが充填され、
前記サスペンションワイヤがその長手方向と交差する方向にたわんだ際に、前記ゲルが変形することで前記サスペンションワイヤの長手方向と交差する方向に沿った前記レンズホルダの振動が吸収されるように構成されている、
ことを特徴とする請求項１８記載の光ピックアップ。
【請求項２３】
前記レンズホルダからフォーカス方向に対して直交する方向に間隔をおいてフォーカス方向およびトラッキング方向を含む面に平行し可撓性を有する支持板が設けられ、
前記サスペンションワイヤは、前記取り付け板と前記支持板とにわたって設けられ、
前記レンズホルダをフォーカス方向およびトラッキング方向に移動させるアクチュエータが設けられ、
前記サスペンションワイヤは導電性を有し、
前記支持板はプリント配線基板で構成され、
前記サスペンションワイヤの長さ方向の両端は前記プリント配線基板と前記アクチュエータに電気的に接続されている、
ことを特徴とする請求項１８記載の光ピックアップ。
【請求項２４】
前記レンズホルダは、前記サスペンションワイヤの長手方向に沿った長さと、前記長さと直交する方向の幅を有し、
前記取り付け板および前記スペンションワイヤは、前記レンズホルダの幅方向の両側にそれぞれ設けられている、
ことを特徴とする請求項１８記載の光ピックアップ。
【請求項２５】
前記対物レンズは、前記レンズホルダに複数設けられている、
ことを特徴とする請求項１８記載の光ピックアップ。
【請求項２６】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダは、前記サスペンションワイヤの長手方向に沿った長さと、前記長さと直交する方向の幅を有し、
前記取り付け板は、前記レンズホルダの幅方向の両側にそれぞれ設けられ、
前記サスペンションワイヤは、前記両側の取り付け板と前記支持板のトラッキング方向の両側との間にそれぞれ設けられ、
前記対物レンズは、前記レンズホルダに、前記レンズホルダの長さ方向に間隔をおいて複数設けられている、
ことを特徴とする請求項１８記載の光ピックアップ。
【請求項２７】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダは、前記サスペンションワイヤの長手方向に沿った長さと、前記長さと直交する方向の幅を有し、
前記取り付け板は、前記レンズホルダの幅方向の両側にそれぞれ設けられ、
前記サスペンションワイヤは、前記両側の取り付け板と前記支持板のトラッキング方向の両側との間にそれぞれ設けられ、
前記対物レンズは、前記レンズホルダに、前記レンズホルダの幅方向に間隔をおいて複数設けられている、
ことを特徴とする請求項１８記載の光ピックアップ。
【請求項２８】
タンジェンシャル方向において前記取り付け板の両側の前記レンズホルダの箇所に固定板が設けられ、
前記ダンピング部材は前記両側の固定板と前記取り付け板との間にそれぞれ挟持されて設けられている、
ことを特徴とする請求項１８記載の光ピックアップ。
【請求項２９】
前記レンズホルダからフォーカス方向に対して直交する方向に間隔をおいた前記ベースの箇所にフォーカス方向およびトラッキング方向を含む面に平行し可撓性を有する支持板が設けられ、
前記サスペンションワイヤは、前記取り付け板と前記支持板とにわたって設けられている、
ことを特徴とする請求項２８記載の光ピックアップ。
【請求項３０】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられている、
ことを特徴とする請求項２８記載の光ピックアップ。
【請求項３１】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられ、
前記サスペンションワイヤ挿通孔にゲルが充填され、
前記サスペンションワイヤがその長手方向と交差する方向にたわんだ際に、前記ゲルが変形することで前記レンズホルダの振動が吸収されるように構成されている、
ことを特徴とする請求項２８記載の光ピックアップ。
【請求項３２】
前記レンズホルダからフォーカス方向に対して直交する方向に間隔をおいた前記ベースの箇所にフォーカス方向およびトラッキング方向を含む面に平行し可撓性を有する支持板が設けられ、
前記サスペンションワイヤは、前記取り付け板と前記支持板とにわたって設けられ、
前記レンズホルダをフォーカス方向およびトラッキング方向に移動させるアクチュエータが設けられ、
前記サスペンションワイヤは導電性を有し、
前記支持板はプリント配線基板で構成され、
前記サスペンションワイヤの長さ方向の両端は前記プリント配線基板と前記アクチュエータに電気的に接続されている、
ことを特徴とする請求項２８記載の光ピックアップ。
【請求項３３】
前記レンズホルダは、前記サスペンションワイヤの長手方向に沿った長さと、前記長さと直交する方向の幅を有し、
前記取り付け板および固定板ならびに前記サスペンションワイヤは、前記レンズホルダの幅方向の両側にそれぞれ設けられている、
ことを特徴とする請求項２８記載の光ピックアップ。
【請求項３４】
前記レンズホルダは、前記サスペンションワイヤの長手方向に沿った長さと、前記長さと直交する方向の幅を有し、
前記取り付け板および固定板ならびに前記サスペンションワイヤは、前記レンズホルダの幅方向の両側にそれぞれ設けられ、
前記対物レンズは、前記レンズホルダに、前記レンズホルダの長さ方向に間隔をおいて複数設けられている、
ことを特徴とする請求項２８記載の光ピックアップ。
【請求項３５】
ベースと、
前記ベースの上に設けられ光源から出射された光ビームを集光して光ディスクに照射する対物レンズを保持するレンズホルダと、
前記レンズホルダの支持機構とを備え、
前記支持機構は、前記ベース上で前記レンズホルダをフォーカス方向とトラッキング方向とに移動可能に支持するサスペンションワイヤを含んで構成された光ピックアップであって、
前記支持機構は、前記サスペンションワイヤの長手方向に沿った前記レンズホルダの振動を吸収するダンピング部材を含んで構成されている、
ことを特徴とする光ピックアップ。
【請求項３６】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
前記光ディスクのトラッキング方向に移動されるベースと、
前記ベースの上に設けられ光源から出射された光ビームを集光して前記光ディスクに照射する対物レンズを保持するレンズホルダと、
前記レンズホルダからフォーカス方向に対して直交する方向に間隔をおいて前記ベース上に設けられフォーカス方向およびトラッキング方向を含む面に平行する支持板と、
前記レンズホルダと前記支持板とにわたって設けられ、前記支持板に対して前記レンズホルダをフォーカス方向とトラッキング方向とに移動可能に支持する複数のサスペンションワイヤとを備え、
前記支持板は可撓性を有し、
前記支持板にダンピング部材が設けられ、
前記支持板が前記サスペンションワイヤの長手方向にたわんだ際に、前記ダンピング部材が変形することで前記レンズホルダの振動が吸収されるように構成されている、
ことを特徴とする光ディスク装置。
【請求項３７】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
前記光ディスクのトラッキング方向に移動されるベースと、
前記ベースの上に設けられ光源から出射された光ビームを集光して前記光ディスクに照射する対物レンズを保持するレンズホルダと、
前記レンズホルダを支持する支持機構とを備え、
前記支持機構は、前記ベース上で前記レンズホルダをフォーカス方向とトラッキング方向とに移動可能に支持するサスペンションワイヤを含んで構成され、
前記レンズホルダに、フォーカス方向およびトラッキング方向を含む面に平行し可撓性を有しサスペンションワイヤの端部が結合される取り付け板が設けられ、
前記取り付け板にダンピング部材が設けられ、
前記取り付け板が前記サスペンションワイヤの長手方向にたわんだ際に、前記ダンピング部材が変形することで前記レンズホルダの振動が吸収されるように構成されている、
ことを特徴とする光ディスク装置。
【請求項３８】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
前記光ディスクのトラッキング方向に移動されるベースと、
前記ベースの上に設けられ光源から出射された光ビームを集光して前記光ディスクに照射する対物レンズを保持するレンズホルダと、
前記レンズホルダの支持機構とを備え、
前記支持機構は、前記ベース上で前記レンズホルダをフォーカス方向とトラッキング方向とに移動可能に支持するサスペンションワイヤを含んで構成され、
前記支持機構は、前記レンズホルダの振動を吸収するダンピング部材を含んで構成されている、
ことを特徴とする光ディスク装置。
【発明の詳細な説明】
【技術分野】
【０００１】
本発明は、光ディスクに信号の記録や再生を行う光ピックアップおよびそのような光ピックアップを有する光ディスク装置に関する。
【背景技術】
【０００２】
ＤＶＤ（Ｄｉｇｉｔａｌ  Ｖｅｒｓａｔｉｌｅ  Ｄｉｓｋ）などの光ディスクに対して光ビームを照射することにより信号の記録あるいは再生あるいは記録および再生を行う光ピックアップがある。
従来、光ピックアップは、光源から出射された光ビームを集光して光ディスクに照射する対物レンズを保持するレンズホルダがサスペンションワイヤを介して剛性を有する支持体に連結されることで、レンズホルダが支持体に対してフォーカス方向とトラッキング方向とに移動可能に支持されている。
このようにレンズホルダがサスペンションワイヤを介して支持される構造では、サスペンションワイヤの機械的特性上、レンズホルダに不要共振が生じやすくサーボ制御の安定化を図る上で不利がある。
そのため、弾性を有するプリント基板を支持体に取り付けるとともに、このプリント基板にサスペンションワイヤの端部を半田付けなどで取着し、サスペンションワイヤと共にプリント基板が振動するように構成し、さらに、プリント基板に共振周波数帯域制御用の貫通孔を形成することで振動をダンピングする機能をプリント基板に与え、これによりレンズホルダに生じる不要共振を抑制するようにした光ピックアップが提案されている（特許文献１参照）。
【特許文献１】特開平８−２６３８６０
【発明の開示】
【発明が解決しようとする課題】
【０００３】
ところで、近年、波長が異なる２つの光ビームを用いて光ディスクに対する記録および／または再生を行う光ピックアップとして、２つの光ビームに対応する２つの対物レンズを単一のレンズホルダに組み込んだものが提供されている。
このように単一のレンズホルダに２つの対物レンズを組み込む構造では、対物レンズの光軸とレンズホルダの振動の中心との距離が拡大しやすくなることなどから、レンズホルダに生じる不要共振が光ピックアップの光学的特性に与える影響がより大きな問題となっており、レンズホルダの不要共振を効果的に抑制しサーボ制御の安定化を図ることが必要となってきている。
本発明はこのような事情に鑑みなされたもので、その目的はサーボ制御の安定化を図る上で有利な光ピックアップおよび光ディスク装置を提供することにある。
【課題を解決するための手段】
【０００４】
上記目的を達成するために本発明は、ベースと、前記ベースの上に設けられ光源から出射された光ビームを集光して光ディスクに照射する対物レンズを保持するレンズホルダと、前記レンズホルダからフォーカス方向に対して直交する方向に間隔をおいて前記ベース上に設けられフォーカス方向およびトラッキング方向を含む面に平行する支持板と、前記レンズホルダと前記支持板とにわたって設けられ、前記支持板に対して前記レンズホルダをフォーカス方向とトラッキング方向とに移動可能に支持する複数のサスペンションワイヤとを備える光ピックアップであって、前記支持板は可撓性を有し、前記支持板にダンピング部材が設けられ、前記支持板が前記サスペンションワイヤの長手方向にたわんだ際に、前記ダンピング部材が変形することで前記レンズホルダの振動が吸収されるように構成されていることを特徴とする。
また本発明は、ベースと、前記ベースの上に設けられ光源から出射された光ビームを集光して光ディスクに照射する対物レンズを保持するレンズホルダと、前記レンズホルダを支持する支持機構とを備え、前記支持機構は、前記ベース上で前記レンズホルダをフォーカス方向とトラッキング方向とに移動可能に支持するサスペンションワイヤを含んで構成された光ピックアップであって、前記レンズホルダに、フォーカス方向およびトラッキング方向を含む面に平行し可撓性を有しサスペンションワイヤの端部が結合される取り付け板が設けられ、前記取り付け板にダンピング部材が設けられ、前記取り付け板が前記サスペンションワイヤの長手方向にたわんだ際に、前記ダンピング部材が変形することで前記レンズホルダの振動が吸収されるように構成されていることを特徴とする。
また本発明は、ベースと、前記ベースの上に設けられ光源から出射された光ビームを集光して光ディスクに照射する対物レンズを保持するレンズホルダと、前記レンズホルダの支持機構とを備え、前記支持機構は、前記ベース上で前記レンズホルダをフォーカス方向とトラッキング方向とに移動可能に支持するサスペンションワイヤを含んで構成された光ピックアップであって、前記支持機構は、前記レンズホルダの振動を吸収するダンピング部材を含んで構成されていることを特徴とする。
また本発明は、光ディスクを保持して回転駆動する駆動手段と、前記駆動手段によって回転駆動する光ディスクに対し記録および／または再生用の光ビームを照射し、前記光ディスクで反射された反射光ビームを検出する光ピックアップとを有する光ディスク装置であって、前記光ピックアップは、前記光ディスクのトラッキング方向に移動されるベースと、前記ベースの上に設けられ光源から出射された光ビームを集光して前記光ディスクに照射する対物レンズを保持するレンズホルダと、前記レンズホルダからフォーカス方向に対して直交する方向に間隔をおいて前記ベース上に設けられフォーカス方向およびトラッキング方向を含む面に平行する支持板と、前記レンズホルダと前記支持板とにわたって設けられ、前記支持板に対して前記レンズホルダをフォーカス方向とトラッキング方向とに移動可能に支持する複数のサスペンションワイヤとを備え、前記支持板は可撓性を有し、前記支持板にダンピング部材が設けられ、前記支持板が前記サスペンションワイヤの長手方向にたわんだ際に、前記ダンピング部材が変形することで前記レンズホルダの振動が吸収されるように構成されていることを特徴とする。
また本発明は、光ディスクを保持して回転駆動する駆動手段と、前記駆動手段によって回転駆動する光ディスクに対し記録および／または再生用の光ビームを照射し、前記光ディスクで反射された反射光ビームを検出する光ピックアップとを有する光ディスク装置であって、前記光ピックアップは、前記光ディスクのトラッキング方向に移動されるベースと、前記ベースの上に設けられ光源から出射された光ビームを集光して前記光ディスクに照射する対物レンズを保持するレンズホルダと、前記レンズホルダを支持する支持機構とを備え、前記支持機構は、前記ベース上で前記レンズホルダをフォーカス方向とトラッキング方向とに移動可能に支持するサスペンションワイヤを含んで構成され、前記レンズホルダに、フォーカス方向およびトラッキング方向を含む面に平行し可撓性を有しサスペンションワイヤの端部が結合される取り付け板が設けられ、前記取り付け板にダンピング部材が設けられ、前記取り付け板が前記サスペンションワイヤの長手方向にたわんだ際に、前記ダンピング部材が変形することで前記レンズホルダの振動が吸収されるように構成されていることを特徴とする。
また本発明は、光ディスクを保持して回転駆動する駆動手段と、前記駆動手段によって回転駆動する光ディスクに対し記録および／または再生用の光ビームを照射し、前記光ディスクで反射された反射光ビームを検出する光ピックアップとを有する光ディスク装置であって、前記光ピックアップは、前記光ディスクのトラッキング方向に移動されるベースと、前記ベースの上に設けられ光源から出射された光ビームを集光して前記光ディスクに照射する対物レンズを保持するレンズホルダと、前記レンズホルダの支持機構とを備え、前記支持機構は、前記ベース上で前記レンズホルダをフォーカス方向とトラッキング方向とに移動可能に支持するサスペンションワイヤを含んで構成され、前記支持機構は、前記レンズホルダの振動を吸収するダンピング部材を含んで構成されていることを特徴とする。
【発明の効果】
【０００５】
本発明によれば、支持板でサスペンションワイヤを支持し、支持板にダンピング部材を設けたので、レンズホルダの振動がダンピング部材によって吸収されるため、レンズホルダの不要共振の発生を効果的に抑制でき、サーボ制御の安定化を図る上で有利となる。
また、本発明によれば、レンズホルダにサスペンションワイヤの端部が結合される取り付け板を設け、この取り付け板に可撓性を持たせ、取り付け板にダンピング部材を設けたので、レンズホルダの振動がダンピング部材によって吸収されるため、レンズホルダの不要共振の発生を効果的に抑制でき、サーボ制御の安定化を図る上で有利となる。
【発明を実施するための最良の形態】
【０００６】
（第１の実施の形態）
次に本発明の実施の形態について説明する。
まず、本発明の光ピックアップが組み込まれる光ディスク装置について説明する。
図１は、第１の実施の形態の光ピックアップ１４が組み込まれた光ディスク装置１０の構成を示すブロック図である。
図１に示すように、光ディスク装置１０は、光ディスク２を回転駆動する駆動手段としてのスピンドルモータ１２と、光ピックアップ１４と、光ピックアップ１４をその半径方向に動かす駆動手段としての送りモータ１６とを備えている。ここで、スピンドルモータ１２は、システムコントローラ１８およびサーボ制御部２０により所定の回転数で駆動制御される構成になっている。
【０００７】
信号変復調部およびＥＣＣブロック２２は、信号処理部２４から出力される信号の変調、復調およびＥＣＣ（エラー訂正符号）の付加を行う。光ピックアップ１４は、システムコントローラ１８およびサーボ制御部２０からの指令に従って回転する光ディスク２の信号記録面に対して光ビームを照射する。このような光照射により光ディスク２に対する光信号の記録、再生が行われる。
また、光ピックアップ１４は、光ディスク２の信号記録面からの反射光ビームに基づいて、各種の光ビームを検出し、各光ビームに対応する信号を信号処理部２４に供給できるように構成されている。
本実施の形態では、光ピックアップ１４は、使用する光ビームの波長が異なる光ディスク２、例えば、ＤＶＤと、Ｂｌｕ−ｒａｙ  Ｄｉｓｋといったような光ディスク２に対して、記録および／または再生を行うように構成されている。
【０００８】
信号処理部２４は、各光ビームに対応する検出信号に基づいてサーボ制御用信号、すなわち、後述するフォーカスエラー信号、トラッキングエラー信号、ＲＦ信号、ランニングＯＰＣ処理に必要なモニタ信号（Ｒ−ＯＰＣ信号）、記録時における光ディスクの回転制御を行うために必要なＡＴＩＰ信号などを生成できるように構成されている。また、再生対象とされる記録媒体の種類に応じて、サーボ制御部２０、信号変調部およびＥＣＣブロック２２等により、これらの信号に基づく復調および誤り訂正処理等の所定の処理が行われる。
ここで、信号変調部およびＥＣＣブロック２２により復調された記録信号が、例えばコンピュータのデータストレージ用であれば、インタフェース２６を介して外部コンピュータ２８等に送出される。これにより、外部コンピュータ２８等は光ディスク２に記録された信号を再生信号として受け取ることができるように構成されている。
【０００９】
また、信号変調部およびＥＣＣブロック２２により復調された記録信号がオーディオ・ビジュアル用であれば、Ｄ／Ａ、Ａ／Ｄ変換器３０のＤ／Ａ変換部でデジタル／アナログ変換され、オーディオ・ビジュアル処理部３２に供給される。そして、このオーディオ・ビジュアル処理部３２でオーディオ・ビデオ信号処理が行われ、オーディオ・ビジュアル信号入出力部３４を介して外部の撮像・映写機器に伝送される。
光ピックアップ１４には送りモータ１６が接続され、送りモータ１６の回転によって光ピックアップ１４が光ディスク２上の所定の記録トラックまで移動されるように構成されている。
サーボ制御部２０は、スピンドルモータ１２、送りモータ１６の制御に加えて、フォーカスエラー信号およびトラッキングエラー信号に基づいて光ピックアップ１４の対物レンズ３８（図２（Ａ））のフォーカシング方向、トラッキング方向の制御を行い、さらに、ラジアルスキューの制御を行なう。
また、レーザ制御部３６は、光ピックアップ１４のレーザ光源を制御するものであり、本実施の形態では、後述するように第１、第２の光源の双方を制御する。
【００１０】
次に、本実施の形態の光ピックアップ１４について説明する。
図２（Ａ）は第１の実施の形態の光ピックアップ１４の構成を示す平面図、（Ｂ）は（Ａ）の要部を示す側面図である。
光ピックアップ１４は、光を出射する光源としての不図示の半導体レーザと、光ディスク２の信号記録面からの反射光ビームを検出する光検出素子としての不図示のフォトダイオードと、半導体レーザからの光を光ディスク２に導くとともに、前記反射光ビームを前記光検出素子に導く不図示の光学系とを有している。
本実施の形態では、光ピックアップ１４は、波長が異なる第１、第２の光源と、各光源に対応する光検出素子とを有している。
光ピックアップ１４は、ベース４０と、レンズホルダ４２と、レンズホルダ４２の支持機構４３などを備えている。
支持機構４３は、支持ブロック４４、支持板４６、複数のサスペンションワイヤ４８などを含んで構成されている。
レンズホルダ４２を移動させるアクチュエータは、フォーカスコイル５６、トラッキングコイル５８、マグネット６０、ヨーク板６２などを含んで構成されている。
【００１１】
ベース４０は、前述した送りモータ１６によって光ディスク装置１０の筐体内で光ディスク２の半径方向に移動可能に設けられている。
レンズホルダ４２は、ベース４０の上に設けられ、トラッキング方向に沿った幅と、フォーカス方向に沿った高さと、トラッキング方向およびフォーカス方向と直交するタンジェンシャル方向に沿った長さとを有した矩形板状を呈している。
レンズホルダ４２は、第１、第２の光源から出射された光ビームを集光して光ディスク２に照射する対物レンズ３８を保持している。対物レンズ３８は、光ピックアップ１４の光学系の一部を構成している。
本実施の形態では、対物レンズ３８は、前記第１の光源からの光ビームを集光する第１の対物レンズ３８Ａと、前記第２の光源からの光ビームを集光する第２の対物レンズ３８Ｂとの２つの対物レンズで構成され、第１、第２の対物レンズ３８Ａ、３８Ｂは、フォーカス方向に対して直交する方向（タンジェンシャル方向、言い換えるとレンズホルダ４２の長さ方向）に間隔をおいて設けられている。
【００１２】
支持板４６は、レンズホルダ４２からフォーカス方向に対して直交する方向に間隔をおいてベース４０上に設けられ、支持板４６はフォーカス方向およびトラッキング方向を含む面に平行している。
そして、サスペンションワイヤ４８がレンズホルダ４２と支持板４６とにわたって設けられ、支持板４６に対してレンズホルダ４２をフォーカス方向とトラッキング方向とに移動可能に支持している。
サスペンションワイヤ４８は、タンジェンシャル方向に沿って延在しており、したがって、レンズホルダ４２は、サスペンションワイヤ４８の長手方向に沿った長さと、長さと直交する方向の幅を有しているということができる。
本実施の形態では、サスペンションワイヤ４８は、導電性および弾性を有する材質で構成され、レンズホルダ４２の高さ方向の上下において幅方向の両側と支持板４６との間にそれぞれ設けられ、合計４本設けられている。
【００１３】
また、本実施の形態では、レンズホルダ４２と支持板４６との間に、ベース４０上に取着された支持ブロック４４が設けられている。
支持板４６はこの支持ブロック４４で支持されている。
支持ブロック４４は、トラッキング方向に沿った幅と、フォーカス方向に沿った高さとを有している。
トラッキング方向に沿った支持ブロック４４の両側には、それぞれフォーカス方向に間隔をおいて２つのサスペンションワイヤ挿通孔４４０２が設けられ、合計４つのサスペンションワイヤ挿通孔４４０２が設けられている。
本実施の形態では、４つのサスペンションワイヤ挿通孔４４０２のうち上方に位置する２つのサスペンションワイヤ挿通孔４４０２は上方に開放状に形成され、４つのサスペンションワイヤ挿通孔４４０２のうち下方に位置する２つのサスペンションワイヤ挿通孔４４０２は下方に開放状に形成されている。
【００１４】
支持板４６は、可撓性を有する板材５０と、板材５０に取着されたダンピング部材５２とを含んで構成されている。
支持板４６は、トラッキング方向に沿った幅と、フォーカス方向に沿った高さとを有し、支持板４６は、幅方向の中央部４６Ａが支持ブロック４４の幅方向の中央の取り付け部４４１０で支持され（取着され）、中央部４６Ａを除く両側部４６Ｂが厚さ方向に可撓可能となっている。
本実施の形態では、板材５０は２枚設けられ、ダンピング部材５２は板状を呈し、支持板４６は、２枚の板材５０でダンピング部材５２が挟持されて構成されている。
したがって、支持板４６は板材５０の２枚分の剛性を有することになる。
２枚の板材５０としては、合成樹脂あるいは金属など従来公知のさまざまな材料が使用可能である。本実施の形態では、板材５０はプリント配線基板で構成されており、このようなプリント配線基板としてはガラスエポキシ基板やポリイミドフィルムを用いた基板など従来公知のさまざまな材料が採用可能である。
【００１５】
ダンピング部材５２としては、振動を減衰するための従来公知のさまざまな材料が使用可能であり、例えば、シリコンゲル、両面粘着テープ、柔軟性を有する接着剤などが使用可能である。
なお、板材５０とダンピング部材５２とが互いに接触する各接触面は接着されていてもよいし、接着されていなくてもよく、板材５０がたわんだ際に、ダンピング部材５２が板材５０のたわみに追従して板材５０の延在方向に沿って変形できればよい。なお、ダンピング部材５２の形状は板状に限らず、従来公知のさまざまな形状が採用可能である。
【００１６】
本実施の形態では、各サスペンションワイヤ４８はサスペンションワイヤ挿通孔４４０２を挿通して配設され、サスペンションワイヤ４８の先端は、レンズホルダ４２の幅方向両側に突設された取り付け部４２０２に取着され、サスペンションワイヤ４８の後端は、支持板４６の両側部４６Ｂに取着されている。
本実施の形態では、サスペンションワイヤ４８の後端が板材５０を構成する少なくとも一方のプリント配線基板のランドに半田付けされることでサスペンションワイヤ４８の後端と支持板４６とが機械的に取着されるとともに、電気的に接続されている。
前記プリント配線基板は、サーボ制御部２０（図１）から供給されるフォーカス用の駆動信号およびトラッキング用の駆動信号を、サスペンションワイヤ４８を介して次に説明するフォーカスコイル５６およびトラッキングコイル５８に供給する機能を有している。
なお、サスペンションワイヤ４８に直接リード線を電気的に接続し、サーボ制御部２０から供給される各駆動信号を前記リード線を介してフォーカスコイル５６およびトラッキングコイル５８に供給してもよく、この場合には、板材５０としてプリント配線基板以外の材料を使用することができる。
【００１７】
フォーカスコイル５６およびトラッキングコイル５８は、レンズホルダ４２の長さ方向の両側にそれぞれ設けられ、上述のサスペンションワイヤ４８の先端がそれぞれ電気的に接続されている。
ヨーク板６２は、レンズホルダ４２に臨むベース４０上に設けられ、レンズホルダ４２をタンジェンシャル方向で挟むようにヨーク板６２のタンジェンシャル方向の両側から起立部６２０２が起立されている。
マグネット６０は、各起立部６２０２がフォーカスコイル５６およびトラッキングコイル５８に対向する箇所にそれぞれ取着され、これによりマグネット６０とヨーク板６２からなる磁気回路が形成される。
なお、ヨーク板６２およびベース４０には、第１、第２の対物レンズ３８Ａ、３８Ｂを通る光路を確保するための図示しない開口が形成されている。
【００１８】
フォーカス用の駆動信号がフォーカスコイル５６に供給されていない状態では、レンズホルダ４２はサスペンションワイヤ４８の弾性によりフォーカス方向の中立位置に保持され、また、トラッキング用の駆動信号がトラッキングコイル５８に供給されていない状態では、レンズホルダ４２はサスペンションワイヤ４８の弾性によりトラッキング方向の中立位置に保持される。
なお、支持板４６がたわんでいない状態でレンズホルダ４２はタンジェンシャル方向の中立位置に保持される。
サーボ制御部２０からフォーカス用の駆動信号がフォーカスコイル５６に供給されると、フォーカスコイル５６に発生した磁界と各マグネット６０の磁界との磁気相互作用によって生じるフォーカス方向の力が、各サスペンションワイヤ４８によってレンズホルダ４２をフォーカス方向の中立位置に戻そうとする復元力に抗してレンズホルダ４２に作用することによりレンズホルダ４２がフォーカス方向に動かされる。
また、サーボ制御部２０からトラッキングコイル５８にトラッキング用の駆動信号が供給されると、トラッキングコイル５８に発生した磁界と各マグネット６０の磁界との磁気相互作用によってトラッキング方向の力が、各サスペンションワイヤ４８によってレンズホルダ４２をトラッキング方向の中立位置に戻そうとする復元力に抗してレンズホルダ４２に作用することによりレンズホルダ４２がトラッキング方向に動かされる。
本実施の形態では、フォーカスコイル５６、マグネット６０、ヨーク板６２によってレンズホルダ４２をフォーカス方向に動かす第１のアクチュエータが構成され、トラッキングコイル５８、マグネット６０、ヨーク板６２によってレンズホルダ４２をトラッキング方向に動かす第２のアクチュエータが構成されている。
【００１９】
また、サスペンションワイヤ４８が挿通されたサスペンションワイヤ挿通孔４４０２にゲル５４が充填され、サスペンションワイヤ４８がその長手方向と交差する方向にたわんだ際に、前記ゲル５４が変形することでサスペンションワイヤ４８の長手方向と交差する方向に沿ったレンズホルダ４２の振動が吸収されるように構成されている。
そして、図３に示すように、支持板４６の両側部４６Ｂがサスペンションワイヤ４８の長手方向にたわんだ際に、ダンピング部材５２が変形することでサスペンションワイヤ４８を介して伝わるレンズホルダ４２の振動が吸収されるように構成されている。なお、本実施の形態では、支持板４６の変形は図２（Ａ）に矢印Ａで示すように、中央部４６Ａを中心とした円弧方向の変形であり、または、図２（Ｂ）に矢印Ｂで示すように、中央部４６Ａを略中心とした円弧方向の変形であり、また、サスペンションワイヤ４８がフォーカス方向に間隔をおいて２本設けられていることから、支持板４６のトラッキング方向の両端でかつフォーカス方向の両端のタンジェンシャル方向に沿った変形であり、それらの変形時にダンピング部材５２が支持板４６に追従して変形し、レンズホルダ４２の振動が吸収される。
【００２０】
本実施の形態によれば、支持板４６でサスペンションワイヤ４８を支持し、支持板４６を可撓性を有する板材５０で構成し、板材５０にダンピング部材５２を設けたので、レンズホルダ４２がフォーカス方向およびトラッキング方向に動かされたときに発生するサスペンションワイヤ４８を介して伝わるレンズホルダ４２の振動がダンピング部材５２によって吸収されるため、レンズホルダ４２の不要共振の発生を効果的に抑制でき、サーボ制御の安定化を図る上で有利となり、ひいては、光ディスクの回転数の高速化や光ディスクの記録密度の向上を図る上でも有利となる。
特に、本実施の形態のようにレンズホルダ４２に複数の対物レンズ３８Ａ、３８Ｂが組み込まれる構成では、各対物レンズ３８Ａ、３８Ｂの光軸とレンズホルダ４２の振動の中心との距離が拡大しやすくなることなどから、レンズホルダ４２に生じる不要共振が光ピックアップ１４の光学的特性に与える影響がより大きな問題となるが、本実施の形態では、レンズホルダ４２の不要共振の発生を効果的に抑制できるため、このような複数の対物レンズを用いた光ピックアップ１４を用いた場合におけるサーボ制御の安定化を図る上で有利となる。
また、本実施の形態では、サスペンションワイヤ４８が挿通された支持ブロック４４のサスペンションワイヤ挿通孔４４０２にゲル５４を充填したので、レンズホルダ４２がフォーカス方向およびトラッキング方向に動かされたときに発生するサスペンションワイヤ４８の長手方向と交差する方向に沿ったレンズホルダ４２の振動がゲル５４によって吸収されるため、レンズホルダ４２の不要共振の発生をより効果的に抑制でき、サーボ制御の安定化を図る上でより一層有利となる。
【００２１】
（第２の実施の形態）
次に第２の実施の形態について説明する。
図４（Ａ）は第２の実施の形態の光ピックアップ１４の構成を示す平面図、（Ｂ）は（Ａ）の要部を示す側面図である。
なお、以下の実施の形態においては第１の実施の形態と同一の部材、箇所には同一の符号を付してその説明を省略する。
図４（Ａ）に示すように、光ピックアップ１４は、ベース４０と、レンズホルダ４２と、レンズホルダ４２の支持機構４３などを備えている。
第２の実施の形態では、支持機構４３は、第１、第２の支持ブロック６４、６６、支持板６８、複数のサスペンションワイヤ４８などを含んで構成されている。
支持板６８は、レンズホルダ４２からフォーカス方向に対して直交する方向に間隔をおいてベース４０上に設けられ、支持板６８はフォーカス方向およびトラッキング方向を含む面に平行している。
そして、サスペンションワイヤ４８がレンズホルダ４２と支持板６８とにわたって設けられ、支持板６８に対してレンズホルダ４２をフォーカス方向とトラッキング方向とに移動可能に支持している。
第１の支持ブロック６４と第２の支持ブロック６６は、フォーカス方向に対して直交する方向に沿った支持板６８の両側に臨むようにベース４０から立設されている。
第１の支持ブロック６４と第２の支持ブロック６６は、トラッキング方向に沿った幅と、フォーカス方向に沿った高さとを有している。
第１の支持ブロック６４はレンズホルダ４２と支持板６８との間に位置し、トラッキング方向に沿った第１の支持ブロック６４の両側には、それぞれフォーカス方向に間隔をおいて２つのサスペンションワイヤ挿通孔６４０２が設けられ、合計４つのサスペンションワイヤ挿通孔６４０２が設けられている。
また、第１の支持ブロック６４が支持板６８に臨む面で幅方向の中央部には取り付け部６４１０が突設されている。
第２の支持ブロック６６は、第１の支持ブロック６４と反対に位置する支持板６８の箇所に位置し、第２の支持ブロック６６が支持板６８に臨む面で幅方向の中央部には取り付け部６６１０が突設されている。
本実施の形態では、４つのサスペンションワイヤ挿通孔６４０２のうち上方に位置する２つのサスペンションワイヤ挿通孔６４０２は上方に開放状に形成され、４つのサスペンションワイヤ挿通孔６４０２のうち下方に位置する２つのサスペンションワイヤ挿通孔６４０２は下方に開放状に形成されている。
【００２２】
支持板６８は、可撓性を有する材料で構成されている。
支持板６８は、トラッキング方向に沿った幅と、フォーカス方向に沿った高さとを有し、支持板６８は、幅方向の中央部６８Ａが第１支持ブロック６４の取り付け部６４１０と第２支持ブロック６６の取り付け部６６１０により挟持され、中央部６８Ａを除く両側部６８Ｂが厚さ方向に可撓可能となっている。
さらに支持板６８は、トラッキング方向の中央部の両側において支持板６８と第１の支持ブロック６４との間および支持板６８と第２の支持ブロック６６との間にそれぞれ設けられたダンピング部材７０により挟持されている。
【００２３】
各ダンピング部材７０は板状を呈しフォーカス方向と平行する方向に延在している。
支持板６８としては、合成樹脂あるいは金属など従来公知のさまざまな材料が使用可能である。本実施の形態では、支持板６８は第１の実施の形態と同様のプリント配線基板で構成されている。
ダンピング部材７０としては、振動を減衰するための従来公知のさまざまな材料が使用可能であり、例えば、シリコンゲル、両面粘着テープ、柔軟性を有する接着剤などが使用可能である。
なお、支持板６８とダンピング部材７０とが互いに接触する各接触面は接着されていてもよいし、接着されていなくてもよく、支持板６８がたわんだ際に、ダンピング部材７０が支持板６８のたわみに追従して変形できればよい。なお、ダンピング部材７０の形状は板状に限らず、従来公知のさまざまな形状が採用可能である。
【００２４】
各サスペンションワイヤ４８は、サスペンションワイヤ挿通孔６４０２を挿通して配設され、サスペンションワイヤ４８の先端は、レンズホルダ４２の幅方向両側に突設された取り付け部４２０２に取着され、サスペンションワイヤ４８の後端は、支持板６８の両側部６８Ｂに取着されている。
また、第１の実施の形態と同様に、サスペンションワイヤ４８は、レンズホルダ４２の高さ方向の上下において幅方向の両側と支持板４６との間にそれぞれ設けられ、合計４本設けられている。
したがって、サスペンションワイヤ４８は、レンズホルダ４２の幅方向の両側と支持板６８のトラッキング方向の両側との間にそれぞれ設けられることになる。
本実施の形態では、サスペンションワイヤ４８の後端が支持板６８を構成するプリント配線基板のランドに半田付けされることでサスペンションワイヤ４８の後端と支持板６８とが機械的に取着されるとともに、電気的に接続されている。
前記プリント配線基板は、サーボ制御部２０（図１）から供給されるフォーカス用の駆動信号およびトラッキング用の駆動信号を、サスペンションワイヤ４８を介してフォーカスコイル５６およびトラッキングコイル５８に供給する機能を有している。
【００２５】
また、第１の実施の形態と同様に、サスペンションワイヤ４８が挿通されたサスペンションワイヤ挿通孔６４０２にゲル５４が充填され、サスペンションワイヤ４８がその長手方向と交差する方向にたわんだ際に、ゲル５４が変形することでサスペンションワイヤ４８の長手方向と交差する方向に沿ったレンズホルダ４２の振動が吸収されるように構成されている。
そして、支持板６８の両側部６８Ｂがサスペンションワイヤ４８の長手方向にたわんだ際に、ダンピング部材７０が変形することでサスペンションワイヤ４８を介して伝わるレンズホルダ４２の振動が吸収されるように構成されている。なお、本実施の形態では、支持板６８の変形は図４（Ａ）に矢印Ａで示すように、取り付け部６４１０、６６１０を中心とした円弧方向の変形であり、または、図４（Ｂ）に矢印Ｂで示すように、取り付け部６４１０、６６１０を略中心とした円弧方向の変形であり、また、サスペンションワイヤ４８がフォーカス方向に間隔をおいて２本設けられていることから、支持板６８のトラッキング方向の両端でかつフォーカス方向の両端のタンジェンシャル方向に沿った変形であり、それらの変形時にダンピング部材７０が支持板６８に追従して変形し、レンズホルダ４２の振動が吸収される。
【００２６】
第２の実施の形態によれば、可撓性を有する材料で構成した支持板６８を、支持板６８と第１の支持ブロック６４との間および支持板６８と第２の支持ブロック６６との間にそれぞれ設けられたダンピング部材７０により挟持する構成としたので、レンズホルダ４２がフォーカス方向およびトラッキング方向に動かされたときに発生するサスペンションワイヤ４８を介して伝わるレンズホルダ４２の振動がダンピング部材７０によって吸収されるため、レンズホルダ４２の不要共振の発生を効果的に抑制でき、サーボ制御の安定化を図る上で有利となり、ひいては、光ディスクの回転数の高速化や光ディスクの記録密度の向上を図る上でも有利となる。
特に、レンズホルダ４２に複数の対物レンズ３８Ａ、３８Ｂが組み込まれる構成では、各対物レンズ３８Ａ、３８Ｂの光軸とレンズホルダ４２の振動の中心との距離が拡大しやすくなることなどから、レンズホルダ４２に生じる不要共振が光ピックアップ１４の光学的特性に与える影響がより大きな問題となるが、第２の実施の形態によれば、レンズホルダ４２の不要共振の発生を効果的に抑制できるため、このような複数の対物レンズを用いた光ピックアップ１４を用いた場合におけるサーボ制御の安定化を図る上で有利となる。
また、第２の実施の形態でも第１の実施の形態と同様に、サスペンションワイヤ４８が挿通された支持ブロック４４のサスペンションワイヤ挿通孔６４０２にゲル５４を充填したので、レンズホルダ４２がフォーカス方向およびトラッキング方向に動かされたときに発生するサスペンションワイヤ４８の長手方向と交差する方向に沿ったレンズホルダ４２の振動がゲル５４によって吸収されるため、レンズホルダ４２の不要共振の発生をより効果的に抑制でき、サーボ制御の安定化を図る上でより一層有利となる。
【００２７】
（第３の実施の形態）
次に第３の実施の形態について説明する。
図５（Ａ）は第３の実施の形態の光ピックアップ１４の構成を示す平面図、（Ｂ）は（Ａ）の要部を示す側面図である。
図５（Ａ）に示すように、光ピックアップ１４は、ベース４０と、レンズホルダ４２と、レンズホルダ４２の支持機構４３などを備えている。
第３の実施の形態では、支持機構４３は、ベース４０上でレンズホルダ４２をフォーカス方向とトラッキング方向とに移動可能に支持するサスペンションワイヤ４８や、レンズホルダ４２に設けられフォーカス方向およびトラッキング方向を含む面に平行し可撓性を有しサスペンションワイヤ４８の端部が結合される取り付け板７４、ダンピング部材７６、ベース４０上に設けられた支持ブロック７８、支持板８０などを含んで構成されている。
【００２８】
支持板８０は、レンズホルダ４２からフォーカス方向に対して直交する方向に間隔をおいてベース４０上に設けられ、支持板８０はフォーカス方向およびトラッキング方向を含む面に平行して設けられている。
そして、サスペンションワイヤ４８がレンズホルダ４２と支持板８０とにわたって設けられ、支持板８０に対してレンズホルダ４２をフォーカス方向とトラッキング方向とに移動可能に支持している。
支持ブロック７８は、フォーカス方向に対して直交する方向に沿った支持板８０の両側に臨むようにベース４０から立設されている。
支持ブロック７８は、トラッキング方向に沿った幅と、フォーカス方向に沿った高さとを有している。
支持ブロック７８は、レンズホルダ４２と支持板８０との間でベース４０上に取着され、トラッキング方向に沿った支持ブロック７８の両側には、それぞれフォーカス方向に間隔をおいて２つのサスペンションワイヤ挿通孔７８０２が設けられ、合計４つのサスペンションワイヤ挿通孔７８０２が設けられている。
また、支持ブロック７８が支持板８０に臨む面で幅方向の中央部には取り付け部７８１０が突設されている。
【００２９】
支持板８０は、可撓性を有する材料で構成されている。
支持板８０は、トラッキング方向に沿った幅と、フォーカス方向に沿った高さとを有し、支持板８０は、幅方向の中央部８０Ａが支持ブロック７８の取り付け部７８１０で支持され、中央部８０Ａを除く両側部８０Ｂが厚さ方向に可撓可能となっている。
支持板８０としては、合成樹脂あるいは金属など従来公知のさまざまな材料が使用可能である。本実施の形態では、支持板８０は第１の実施の形態と同様のプリント配線基板で構成されている。
【００３０】
各サスペンションワイヤ４８は、サスペンションワイヤ挿通孔７８０２を挿通して配設され、サスペンションワイヤ４８の先端は、次に説明する結合部７２を介してレンズホルダ４２に取着され、サスペンションワイヤ４８の後端は、支持板６８の両側部６８Ｂに取着されている。
また、第１の実施の形態と同様に、サスペンションワイヤ４８は、レンズホルダ４２の高さ方向の上下において幅方向の両側と支持板４６との間にそれぞれ設けられ、合計４本設けられている。
本実施の形態では、サスペンションワイヤ４８の後端が支持板８０を構成するプリント配線基板のランドに半田付けされることでサスペンションワイヤ４８の後端と支持板８０とが機械的に取着されるとともに、電気的に接続されている。
前記プリント配線基板は、サーボ制御部２０（図１）から供給されるフォーカス用の駆動信号およびトラッキング用の駆動信号を、サスペンションワイヤ４８を介してフォーカスコイル５６およびトラッキングコイル５８に供給する機能を有している。
【００３１】
レンズホルダ４２のトラッキング方向における両側部にそれぞれ結合部７２が設けられている。
結合部７２は、２つの取り付け板７４と、ダンピング部材７６とを含んで構成されている。
取り付け板７４は、レンズホルダ４２に設けられフォーカス方向に対して直交する方向に間隔をおいてフォーカス方向およびトラッキング方向を含む面に平行し可撓性を有している。
本実施の形態では、サスペンションワイヤ４８の先端が２つの取り付け板７４のうち少なくとも一方の取り付け板７４に取着されている。
取り付け板７４としては、合成樹脂あるいは金属など従来公知のさまざまな材料が使用可能である。
また、取り付け板７４はレンズホルダ４２と一体的に設けられていてもよいし、レンズホルダ４２と別体に設けられレンズホルダ４２に取着されていてもよい。
【００３２】
ダンピング部材７６は、２つの取り付け板７４の間に挟持されて設けられている。
ダンピング部材７６としては、振動を減衰するための従来公知のさまざまな材料が使用可能であり、例えば、シリコンゲル、両面粘着テープあるいは柔軟性を有する接着剤などが使用可能である。
なお、取り付け板７４とダンピング部材７６とが互いに接触する各接触面は接着されていてもよいし、接着されていなくてもよく、取り付け板７４がたわんだ際に、ダンピング部材７６が取り付け板７４のたわみに追従して変形できればよい。なお、ダンピング部材７６の形状は板状に限らず、従来公知のさまざまな形状が採用可能である。
【００３３】
また、第１の実施の形態と同様に、サスペンションワイヤ４８が挿通されたサスペンションワイヤ挿通孔７８０２にゲル５４が充填され、スペンションワイヤ４８がその長手方向と交差する方向にたわんだ際に、前記ゲル５４が変形することでサスペンションワイヤ４８の長手方向と交差する方向に沿ったレンズホルダ４２の振動が吸収されるように構成されている。
そして、取り付け板７４がサスペンションワイヤ４８の長手方向にたわんだ際に、ダンピング部材７６が変形することでレンズホルダ４２の振動が吸収されるように構成されている。なお、本実施の形態では、取り付け板７４の変形は図５（Ａ）に矢印Ａで示すように、取り付け板７４がレンズホルダ４２に接続された箇所を中心とした円弧方向の変形であり、または、図５（Ｂ）に矢印Ｂで示すような円弧方向の変形であり、また、サスペンションワイヤ４８がフォーカス方向に間隔をおいて２本設けられていることから、取り付け板７４のフォーカス方向の両端のタンジェンシャル方向に沿った変形であり、それらの変形時にダンピング部材７６が取り付け板７４に追従して変形し、レンズホルダ４２の振動が吸収される。
【００３４】
第３の実施の形態によれば、レンズホルダ４２にサスペンションワイヤ４８の端部が結合される取り付け板７４を設け、この取り付け板７４に可撓性を持たせ、また、この取り付け板７４にダンピング部材７６を設けたので、レンズホルダ４２がフォーカス方向およびトラッキング方向に動かされたときに発生するレンズホルダ４２の振動がダンピング部材７６によって吸収されるため、レンズホルダ４２の不要共振の発生を効果的に抑制でき、サーボ制御の安定化を図る上で有利となり、ひいては、光ディスクの回転数の高速化や光ディスクの記録密度の向上を図る上でも有利となる。
特に、レンズホルダ４２に複数の対物レンズ３８Ａ、３８Ｂが組み込まれる構成では、各対物レンズ３８Ａ、３８Ｂの光軸とレンズホルダ４２の振動の中心との距離が拡大しやすくなることなどから、レンズホルダ４２に生じる不要共振が光ピックアップ１４の光学的特性に与える影響がより大きな問題となるが、第３の実施の形態によれば、レンズホルダ４２の不要共振の発生を効果的に抑制できるため、このような複数の対物レンズを用いた光ピックアップ１４を用いた場合におけるサーボ制御の安定化を図る上で有利となる。
また、第３の実施の形態でも第１の実施の形態と同様に、サスペンションワイヤ４８が挿通された支持ブロック７８のサスペンションワイヤ挿通孔７８０２にゲル５４を充填したので、レンズホルダ４２がフォーカス方向およびトラッキング方向に動かされたときに発生するサスペンションワイヤ４８の長手方向と交差する方向に沿ったレンズホルダ４２の振動がゲル５４によって吸収されるため、レンズホルダ４２の不要共振の発生をより効果的に抑制でき、サーボ制御の安定化を図る上でより一層有利となる。
【００３５】
（第４の実施の形態）
次に第４の実施の形態について説明する。
図６（Ａ）は第４の実施の形態の光ピックアップ１４の構成を示す平面図、（Ｂ）は（Ａ）の要部を示す側面図である。
図６（Ａ）に示すように、光ピックアップ１４は、ベース４０と、レンズホルダ４２と、レンズホルダ４２の支持機構４３などを備えている。
第４の実施の形態では、支持機構４３は、ベース４０上でレンズホルダ４２をフォーカス方向とトラッキング方向とに移動可能に支持するサスペンションワイヤ４８や、レンズホルダ４２に設けられフォーカス方向およびトラッキング方向を含む面に平行し可撓性を有しサスペンションワイヤ４８の端部が結合される取り付け板８４、レンズホルダ４２に設けられた固定板８６、ダンピング部材８８、ベース４０上に設けられた支持ブロック７８、支持板８０などを含んで構成されている。
【００３６】
支持ブロック７８、支持板８０の構成は第３の実施の形態と同様であり、各サスペンションワイヤ４８は、サスペンションワイヤ挿通孔７８０２を挿通して配設され、サスペンションワイヤ４８の先端は、次に説明する結合部８２を介してレンズホルダ４２に取着され、サスペンションワイヤ４８の後端は、支持板８０の両側部８０Ｂに取着されている。
また、第１の実施の形態と同様に、サスペンションワイヤ４８は、レンズホルダ４２の高さ方向の上下において幅方向の両側と支持板４６との間にそれぞれ設けられ、合計４本設けられている。
また、第３の実施の形態と同様に、サスペンションワイヤ４８の後端が支持板８０を構成するプリント配線基板のランドに半田付けされることでサスペンションワイヤ４８の後端と支持板８０とが機械的に取着されるとともに、電気的に接続されている。
そして、前記プリント配線基板によって、サーボ制御部２０（図１）から供給されるフォーカス用の駆動信号およびトラッキング用の駆動信号が、サスペンションワイヤ４８を介してフォーカスコイル５６およびトラッキングコイル５８に供給されている。
【００３７】
レンズホルダ４２のトラッキング方向における両側部にそれぞれ結合部８２が設けられている。
結合部８２は、１つの取り付け板８４と、２つの固定板８６と、２つのダンピング部材８８とを含んで構成されている。
取り付け板８４は、レンズホルダ４２に設けられフォーカス方向およびトラッキング方向を含む面に平行し可撓性を有している。
取り付け板８４としては、合成樹脂あるいは金属など従来公知のさまざまな材料が使用可能である。
また、取り付け板８４はレンズホルダ４２と一体的に設けられていてもよいし、レンズホルダ４２と別体に設けられレンズホルダ４２に取着されていてもよい。
２つの固定板８６は、タンジェンシャル方向において取り付け板８４の両側のレンズホルダ４２箇所に設けられており、剛性を有している。
また、２つの固定板８６はレンズホルダ４２と一体的に設けられていてもよいし、レンズホルダ４２と別体に設けられレンズホルダ４２に取着されていてもよい。
【００３８】
ダンピング部材８８は板状を呈し両側の固定板８６と取り付け板８４との間にそれぞれ挟持されている。
ダンピング部材８８としては、振動を減衰するための従来公知のさまざまな材料が使用可能であり、例えば、シリコンゲル、両面粘着テープ、柔軟性を有する接着剤などが使用可能である。
なお、取り付け板８４とダンピング部材８８とが互いに接触する各接触面は接着されていてもよいし、接着されていなくてもよく、取り付け板８４がたわんだ際に、ダンピング部材８８が取り付け板８４のたわみに追従して変形できればよい。なお、ダンピング部材８８の形状は板状に限らず、従来公知のさまざまな形状が採用可能である。
【００３９】
サスペンションワイヤ４８の先端は取り付け板８４に取着されている。
本実施の形態では、２つの固定板８６にはサスペンションワイヤ４８の断面よりも大きな断面形状の不図示の貫通孔が形成されており、サスペンションワイヤ４８が取り付け板８４に取着された部分の前後のサスペンションワイヤ４８箇所は前記貫通孔に挿通されている。
また、第３の実施の形態と同様に、サスペンションワイヤ４８が挿通されたサスペンションワイヤ挿通孔７８０２にゲル５４が充填され、サスペンションワイヤ４８がその長手方向と交差する方向にたわんだ際に、前記ゲル５４が変形することでサスペンションワイヤ４８の長手方向と交差する方向に沿ったレンズホルダ４２の振動が吸収されるように構成されている。
そして、取り付け板８４がサスペンションワイヤ４８の長手方向にたわんだ際に、ダンピング部材８８が変形することでレンズホルダ４２の振動が吸収されるように構成されている。なお、本実施の形態では、取り付け板８４の変形は図６（Ａ）に矢印Ａで示すように、取り付け板８４がレンズホルダ４２に接続された箇所を中心とした円弧方向の変形であり、または、図６（Ｂ）に矢印Ｂで示すような円弧方向の変形であり、また、サスペンションワイヤ４８がフォーカス方向に間隔をおいて２本設けられていることから、取り付け板８４のフォーカス方向の両端のタンジェンシャル方向に沿った変形であり、それらの変形時にダンピング部材８８が取り付け板８４に追従して変形し、レンズホルダ４２の振動が吸収される。
【００４０】
第４の実施の形態によれば、レンズホルダ４２にサスペンションワイヤ４８の端部が結合される取り付け板８４を設け、この取り付け板８４に可撓性を持たせ、また、この取り付け板８４にダンピング部材８８を設けたので、レンズホルダ４２がフォーカス方向およびトラッキング方向に動かされたときに発生するレンズホルダ４２の振動がダンピング部材８８によって吸収されるため、レンズホルダ４２の不要共振の発生を効果的に抑制でき、サーボ制御の安定化を図る上で有利となり、ひいては、光ディスクの回転数の高速化や光ディスクの記録密度の向上を図る上でも有利となる。
特に、レンズホルダ４２に複数の対物レンズ３８Ａ、３８Ｂが組み込まれる構成では、各対物レンズ３８Ａ、３８Ｂの光軸とレンズホルダ４２の振動の中心との距離が拡大しやすくなることなどから、レンズホルダ４２に生じる不要共振が光ピックアップ１４の光学的特性に与える影響がより大きな問題となるが、第４の実施の形態によれば、レンズホルダ４２の不要共振の発生を効果的に抑制できるため、このような複数の対物レンズを用いた光ピックアップ１４を用いた場合におけるサーボ制御の安定化を図る上で有利となる。
また、第４の実施の形態でも第１の実施の形態と同様に、サスペンションワイヤ４８が挿通された支持ブロック７８のサスペンションワイヤ挿通孔７８０２にゲル５４を充填したので、レンズホルダ４２がフォーカス方向およびトラッキング方向に動かされたときに発生するサスペンションワイヤ４８の長手方向と交差する方向に沿ったレンズホルダ４２の振動がゲル５４によって吸収されるため、レンズホルダ４２の不要共振の発生をより効果的に抑制でき、サーボ制御の安定化を図る上でより一層有利となる。
【図面の簡単な説明】
【００４１】
【図１】第１の実施の形態の光ディスク装置１０の構成を示すブロック図である。
【図２】（Ａ）は第１の実施の形態の光ピックアップ１４の構成を示す平面図、（Ｂ）は（Ａ）の要部を示す側面図である。
【図３】第１の実施の形態の光ピックアップ１４の支持板６８の動作説明図である。
【図４】（Ａ）は第２の実施の形態の光ピックアップ１４の構成を示す平面図、（Ｂ）は（Ａ）の要部を示す側面図である。
【図５】（Ａ）は第３の実施の形態の光ピックアップ１４の構成を示す平面図、（Ｂ）は（Ａ）の要部を示す側面図である。
【図６】（Ａ）は第４の実施の形態の光ピックアップ１４の構成を示す平面図、（Ｂ）は（Ａ）の要部を示す側面図である。
【符号の説明】
【００４２】
１０……光ディスク装置、１４……光ピックアップ、３８……対物レンズ、４０……ベース、４２……レンズホルダ、４３……支持機構、４６……支持板、４８……サスペンションワイヤ、５２……ダンピング部材、６８……支持板、７０……ダンピング部材、７４……取り付け板、７６……ダンピング部材、８４……取り付け板、８８……ダンピング部材。
【図１】
2008310862.tif 000003
【図２】
2008310862.tif 000004
【図３】
2008310862.tif 000005
【図４】
2008310862.tif 000006
【図５】
2008310862.tif 000007
【図６】
2008310862.tif 000008